(57)【特許請求の範囲】
【請求項１】
内側に開口する水平溝を設けて断面コ字状に形成した上部縁枠を有する平面方形状の合成樹脂製容器の前記上部縁枠に取り付けて使用する補助枠体であって、前記補助枠体は、対向する２つの側板のそれぞれ略中央部に内側に折り曲げ可能となるヒンジを設けるとともに、両端部には直角方向に連結辺を一体に設け、他の対向する２つの側板の両端部を前記連結辺に折曲自在に連結してなり、
前記各側板の下面には、組み合わせて使用する合成樹脂製容器の上部縁枠の四隅部に突設した突片を嵌合する切欠を設けてなり、前記突片は、上部縁枠の四隅部に側板の厚さ寸法よりも肉厚の薄い突片であって側板の外側と同一面に形成してなり、前記切欠は、各側板の両端部及び連結辺の下面に前記突片を嵌合するように設けてなり、
各側板の下端には側板の厚さ寸法よりも肉厚の薄い係止板を側板の内側と同一面に延設し、前記係止板の外面には容器の上部縁枠の水平溝に差し込む係止片を突設し、前記係止片は側板の下面との間に隙間を有しており、前記係止片は中央部にヒンジを設けてなる側板においてはヒンジの両側に突設してなることを特徴とする合成樹脂製容器用補助枠体。
【請求項２】
連結辺と前記連結辺に連結する側板とは、ピンを挿入することによって折曲自在に連結されていることを特徴とする請求項１または２に記載の合成樹脂製容器用補助枠体。
【発明の詳細な説明】
【０００１】
【発明の属する技術分野】
この発明は、合成樹脂製容器と組み合わせて使用される補助枠体に係り、嵩上げすることにより容器の高さを調節し、容器同士と同じように補助枠体を装着した状態で容器を積み重ねることができる合成樹脂製容器用補助枠体に関する。
【０００２】
【従来の技術】
一般に、物品を輸送、保管するのに使用されている合成樹脂製容器には、下段の容器の上面開口部に上段の容器の下面嵌合部を嵌合させることにより同形の容器を積み重ねることができるようにした容器がある。例えば、図７及び図８に示す容器Ｙは、容器の側壁上面に設けた突片と下面周縁に設けた切欠部とが一致し、同形の容器を積み重ねたとき、下段容器の上面突片が上段容器の下面の切欠に嵌合して荷崩れすることなく安定して積み重ねられるようにしたものである。
【０００３】
さらに詳述すると、上記容器Ｙの側壁上面の四隅部には、短辺側の側壁６両端の突片１ａと長辺側の側壁７両端の突片１ｂとからなる突片１を形成し、長辺側の側壁７上面の略中央部に突片２を形成してなる。前記突片１，２は、側壁上面の幅寸法の半分より外側に形成されている。一方、上記突片１、２に対応するように、側壁下面には、短辺側の側壁６両端の切欠３ａと長辺側の側壁７両端の切欠３ｂとからなる切欠３を形成してなる。
【０００４】
また、長辺側の側壁７下面の略中央部に切欠４を形成し、短辺側の側壁６下面の略中央部には切欠５を形成してなる。前記切欠４及び５は、上記突片１，２と嵌合するように、側壁下面の幅寸法の半分より内側に形成されている。上下方向に積み重ねると、下段容器の側壁上面の突片１、２が上段容器の側壁下面の切欠３、４にそれぞれ嵌合することによって水平方向のずれが防止される。
【０００５】
上記容器Ｙの側面は、縦リブ８ａ、水平リブ８ｂ及び斜めリブ８ｃ等によって形成されている．水平リブ８ｂは内側に開口する水平溝を設けて断面コ字状に形成されており、外面が平滑面となるように形成してなる。これらの容器は、１つの方形状底部に４つの側壁を折り返し可能にヒンジを介して連設することによって形成してなり、前記側壁をヒンジから直立させることによって組み立てるようにしたものである。
【０００６】
前記水平リブ８ｂのうち各側壁の最上部の水平リブが縁枠９となり、側壁を組み立てたとき容器Ｙの上部縁枠を形成する。前記突片１、２は、前記縁枠９の上面に形成されることになる。前記水平リブ８ｂ、縁枠９の内部には縦リブ８ａが貫通して設けられている。
【０００７】
【発明が解決しようとする課題】
上記構成の容器はもちろん、一般の容器においても側壁の高さは一定である。従って、側壁からはみ出す大きさの物品や、より多くの物品を収納したとき、収納した物品が側壁上面よりも突出する。収納物品が側壁上面から突出すると、容器同士を上下方向に積み重ねる、いわゆる段積みができなくなる。
【０００８】
段積みができるようにするには、上段の容器の底部が下段の容器の上面に載置されなければならないから、新たに側壁を高くした容器を製造しなければならない。しかしながら、新たに側壁を高くした容器を製造することは、金型代等の費用が発生してコストアップとなる。
【０００９】
この発明は、上記の現況に鑑みてなされたもので、側壁の高さを嵩上げによって調整し、収納体積を増大させるとともに、装着した状態で持ち運ぶことが可能な合成樹脂製容器用補助枠体を提供するものである。また、この発明の他の目的は、装着した状態でさらに上段に同形の他の容器を積み重ねることが可能な合成樹脂製容器用補助枠体を提供するものである。
【００１０】
【課題を解決するための手段】
この発明は上記目的を達成するために次のような構成とした。即ちこの発明に係る補助枠体は、内側に開口する水平溝を設けて断面コ字状に形成した上部縁枠を有する平面方形状の合成樹脂製容器の前記上部縁枠に取り付けて使用する補助枠体であって、前記補助枠体は、対向する２つの側板のそれぞれ略中央部に内側に折り曲げ可能となるヒンジを設けるとともに、両端部には直角方向に連結辺を一体に設け、他の対向する２つの側板の両端部を前記連結辺に折曲自在に連結してなり、
前記各側板の下面には、組み合わせて使用する合成樹脂製容器の上部縁枠の四隅部に突設した突片を嵌合する切欠を設けてなり、前記突片は、上部縁枠の四隅部に側板の厚さ寸法よりも肉厚の薄い突片であって側板の外側と同一面に形成してなり、前記切欠は、各側板の両端部及び連結辺の下面に前記突片を嵌合するように設けてなり、
各側板の下端には側板の厚さ寸法よりも肉厚の薄い係止板を側板の内側と同一面に延設し、前記係止板の外面には容器の上部縁枠の水平溝に差し込む係止片を突設し、前記係止片は側板の下面との間に隙間を有しており、前記係止片は中央部にヒンジを設けてなる側板においてはヒンジの両側に突設してなることを特徴とする。
連結辺と前記連結辺に連結する側板とは、ピンを挿入することによって折曲自在に連結することができる。
【００１１】
【発明の実施の形態】
この発明に係る合成樹脂製容器用補助枠体Ｗは、短辺側の側板１０、１０と長辺側の側板２０、２０とからなる平面方形状枠体であって、その大きさは、組み合わせて使用する合成樹脂製容器の開口部と同じ大きさに形成されている。前記短辺側の側板１０、１０は中央部を内側に折曲自在とする薄肉ヒンジ１２が設けられており、両端部にはそれぞれ直角方向に連結辺１１、１１が一体に設けられている。連結辺１１、１１の突出長さは、連結する長辺側の側板２０の厚さと同じか、僅かに大きく形成するのが好ましい。
【００１２】
前記短辺側の側板１０、１０の上面には、両端部に突片１３が突設されており、中央部に突片１４が突設されている．前記ヒンジ１２は前記突片１４の略中央部に突片１４を二分割するように設けられている。前記突片１３、１４の幅寸法（厚さ寸法）は、側板上面の幅寸法の半分程度であって、側板上面の外側寄りに形成されている。前記突片１３の高さ及び長さ寸法は、組み合わせて使用する合成樹脂製容器Ｙの上面に突設した突片１ａとほぼ同じ大きさに形成されている。
【００１３】
また、前記短辺側の側板１０、１０の下面には、上記突片１３と対応する位置に切欠１６が設けられている。切欠１６は、突片１３が嵌合する大きさに形成されている．前記切欠１６は、組み合わせて使用する合成樹脂製容器Ｙの底部に形成した四隅部の切欠３ａとほぼ同じ大きさとなり、切欠１６に容器Ｙの上面に設けた突片１ａが嵌合できる。
【００１４】
短辺側の側板１０の下面には、側壁の厚さ寸法よりも肉厚の薄い係止板１７が側壁の一部を延設することによって下向きに突設されており、前記係止板１７の内面と側板１０の内面とは同一面に形成されている。そして、前記係止板１７の外面には、合成樹脂製容器Ｙの縁枠９の水平溝に差し込む係止片１８が適宜の間隔で突設されている。係止片１８は、容器Ｙの縁枠９に差し込むことができるように、側壁１０の下面との間に一定の隙間を有している。
【００１５】
前記連結辺１１、１１の上面は、短辺側の側板１０の上面と同一面に形成されており、下面は切欠１６と同一面に形成されている。また、連結辺１１、１１の中間部には、長辺側の側板を連結するために、凹部１５が形成されている。図示する実施形態では凹部１５は１つであるが、２以上設けて凹凸状に形成してもよい。
【００１６】
次に、長辺側の側板２０、２０は、上面の両端部に突片２１を突設してなる。前記突片２１の幅寸法（厚さ寸法）は、側板上面の幅寸法の半分程度であって、側板上面の外側寄りに突設されている。前記突片２１の高さは、突片１３、１４と同じ高さであって、組み合わせて使用する合成樹脂製容器Ｙの上面に突設した突片１ｂに対応して形成されている。
【００１７】
長辺側の側板２０、２０の下面には、両端部に切欠２２を形成し、中央部に切欠２３を形成してなる。中央部に形成した切欠２３は、側板下面の幅寸法の半分程度を外側寄りを切り欠くことによって形成されている。
【００１８】
長辺側の側壁２０の下面には、側板の厚さよりも肉厚の薄い係止板２５が側壁の一部を延設することによって下向きに突設されており、前記係止板２５の内面と側壁２０の内面とは同一面に形成されている。そして、前記係止板２５の外面には、合成樹脂製容器Ｙの縁枠９の水平溝に差し込む係止片２６が適宜の間隔で突設されている。係止片２６は、容器Ｙの縁枠９の水平溝に差し込むことができるように、側壁２０の下面との間に一定の隙間を有している。係止片２６の大きさと間隔は、組み合わせて使用する容器Ｙの縁枠９の水平溝の大きさによって決定すればよい。
【００１９】
長辺側の側板２０の両端部には、嵌合片２７が設けられており、嵌合片２７を連結辺１１の凹部１５に嵌め込み、ピン３０を挿入することによって回動自在に連結してなる。尚、嵌合片２７は、２以上設けて凹凸状に形成し、連結辺１１との間で組み合わせる構造としてもよい。また、連結辺１１と長辺側の側板２０との連結は、ピンを用いることなくヒンジ構造として折曲自在としてもよい。
【００２０】
上記構成の補助枠体Ｗの使用方法について説明する。まず、図１のように組み立てた状態から折り畳むには、短辺側の側板１０のヒンジ１２の部分を外側から内方に押し込むと、連結辺１１と長辺側の側板２０とは折曲自在とされているから、短辺側の側板１０は２つに折り畳まれるとともに、長辺側の側板２０と一体となり全体を板状に折り重ねることができる〔図５参照〕。反対に、折り重なった状態から方形状に組み立てるには、長辺側の側板２０を相互に引き離せば、短辺側の側板１０のヒンジ１２の部分が次第に真っ直ぐな状態に伸びて全体を方形状に容易に組み立てることができる。
【００２１】
次に、従来公知の合成樹脂製容器、即ち、開口部の上部縁枠が内面に水平な溝を有しており、相互に積み重ねることができるように構成された容器Ｙと本願発明に係る補助枠体Ｗとを組み合わせて使用する場合について説明する。
【００２２】
まず、長辺側の側板２０を互いに引き離すように広げて容器Ｙの縁枠９上面に載置する。縁枠９に補助枠体Ｗを載置した状態で、長辺側の側板２０に設けた係止片２６を縁枠９に挿入するとともに、係止板２５を縁枠９の内面に当接する。次いで、短辺側の側板１０のヒンジ１２部分を外側に押し広げながら係止片１８を縁枠９の水平溝に挿入するとともに、係止板１７を縁枠９の内面に当接する。
【００２３】
このとき、補助枠体Ｗの短辺側の側板１０の両端部に形成された切欠１６に容器Ｙの短辺側の側壁の上面に形成された突片１ａが嵌合し、長辺側の側板２０の両端部に形成された切欠２２に容器Ｙの長辺側の側壁上面に形成された突片１ｂが嵌合する．さらに、長辺側の側板中央部に形成された切欠２３に容器Ｙの長辺側の側壁中央部に突設された突片２が嵌合し、補助枠体Ｗを載置した状態で一体に取り付けられる。
【００２４】
容器Ｙに補助枠体Ｗを取り付けた後、さらに、前記補助枠体Ｗの上に容器Ｙを積み重ねることができる。補助枠体Ｗの上面に突設された突片１３，１４及び２１が容器Ｙの下面に設けた切欠３ａ、５及び３ｂに嵌合することによって荷崩れすることなく安定した状態で積み重ねることができる。このようにして、容器Ｙと補助枠体Ｗとは交互に積み重ねて、容器Ｙ同士を積み重ねる場合と同様に、安定して積み重ねることができる。
【００２５】
補助枠体Ｗの係止片１８、２６が容器Ｙの縁枠９の水平溝に挿入されることによって、積み重ね状態が一層安定しているばかりでなく、補助枠体Ｗを持つことによって容器Ｙを持ち上げることができる。従って、容器Ｙの持ち運び作業が容易である。
【００２６】
補助枠体Ｗを容器Ｙから取り外すときは、短辺側の側板１０の中央部を内側に押し込んでヒンジ１２の部分から折り曲げ、係止片１８を容器の縁枠９の水平溝から抜き出し、次いで、長辺側の側板２０を互いに付き合わせるように閉じればよい。係止片２６が容器Ｙの縁枠９の水平溝から抜き出されるから、容易に取り外すことができる。
【００２７】
【発明の効果】
上記から明らかなように、本願発明に係る合成樹脂製容器用補助枠体を使用すれば、容器の側壁を嵩上げによって高さを調整し、収納体積を増大させることができる。また、補助枠体が側板の下面に突設した係止板の外面に係止片を設けてなり、上縁内面にスリットを有する合成樹脂製容器と組み合わせて使用するときは、補助枠体を一体に取り付けることができ、容器と一体に持ち運ぶことができる。また、補助枠体の上にさらに合成樹脂製容器を安定した状態で積み重ねることができる。
【図面の簡単な説明】
【図１】この発明に係る補助枠体の斜視図である。
【図２】四隅部を拡大して示す上面斜視図である。
【図３】四隅部を拡大して示す底面斜視図である。
【図４】側板のヒンジ部を示す平面図である。
【図５】ヒンジ部において側板を折曲した状態の斜視図である。
【図６】ヒンジ部における折曲状態を示す拡大平面図である。
【図７】上部縁枠内面にスリットを形成した従来の合成樹脂製容器の概略を示す斜視図である。
【図８】同じく一部拡大斜視図である。
【符号の説明】
１：四隅部の突片
２：中央部の突片
８ａ：縦リブ
８ｂ：水平リブ
８ｃ：斜めリブ
９：縁枠
１０：短辺側の側板
１１：連結辺
１２：薄肉ヒンジ
１３、１４：突片
１５：凹部
１６：切欠
１７：係止板
１８：係止片
２０：長辺側板
２１：突片
２２：切欠
２３：切欠
２５：係止板
２６：係止片
３０：ピン
【図１】
0004915977.tif 000002
【図２】
0004915977.tif 000003
【図３】
0004915977.tif 000004
【図４】
0004915977.tif 000005
【図５】
0004915977.tif 000006
【図６】
0004915977.tif 000007
【図７】
0004915977.tif 000008
【図８】
0004915977.tif 000009